(57)【要約】      （修正有）【課題】破壊された木質を機械的に固めた木質ペレットから炭を作る方法を提供する。【解決手段】下部に気体が貫通するように設けられた網中板５と穴６を内蔵した炭化窯２の内部に木質ペレット７を入れ込む。さらに、側面に固定金具８を設けた蓋１を設置する、などの構造の木質ペレット炭化装置を、稼動中の焼却炉に入れ込むことで、木質ペレットが炭化を起こし、一定時間経過した後、取り出し、温度低下を待つことで木質ペレットを原料とした炭が生産される。【選択図】図１
2006124624.tif 000002
【特許請求の範囲】
【請求項１】
下部に気体が貫通するように設けられた網中板５と穴６を内蔵した炭化窯２の内部に木質ペレット７を入れ込む。さらに、側面に固定金具８を設けた蓋１を設置する。などの構造の木質ペレット炭化装置である。
この炭化窯を、他の目的で使用している状態の、焼却炉内の燃焼室、又は、補助燃焼室などの空いた部分に入れ込み、加熱することで木質ペレットが炭化し、木質ペレットを原料とした炭が製造される。などの木質ペレットを原料とした炭製造方法。
【請求項２】
他の目的で使用している焼却炉及びボイラー（熱源を有する窯）の熱量を利用して、木質ペレットを原料とした炭の製造方法である。したがって、炭を製造するための使用熱量は、他の目的に使われているための熱量である。つまり、本方法は、木質ペレットの炭化と同時に炭製造に伴う製造コスト削減効果があり、使用熱量を削減した効率の高い炭製造方法。
【発明の詳細な説明】
【発明の詳細な説明】
［技術分野］
【０００１】  世界的に見ても、わが国の炭製造技術水準は高度な位置を占めています。これらは、まさに、先輩たちの工夫と努力と時が作り出したものと考えます。
私は、現在。木質ペレット産業分野に関係しています。木質ペレットは、物理的には、一度、木質を破壊したものを再度機械的に固めた構造の物体である。このように、一度、破壊され、再度固めたものから炭ができるのだろうかと、考えた時から本炭製造方法の開発を開始しました。したがって、本発明は、一度破壊された木質を再度機械的に固めた木質ペレットから炭を作る方法である。
［背景技術］
【０００２】  木質ペレット産業は、始まったばかりの産業で、普及においてさまざまな課題が起きている。本発明は、これらの課題のを解消する目的をもっている。
先ず、木質ペレットの生産において、生産したペレットの消費が少ない点にある。つまり、ある程度の数量の暖房用ボイラーや温水を作るボイラーが普及されるまでの間、ボイラーでの消費以外での木質ペレットの需要を確保する必要があるのです。
また、もう一つの課題として、木質ペレットからの炭製造技術においても、従来の製造方法では旨くできないのは実験により確認しています。
【０００３】  本発明は、これらの課題に対応しています。まず、消費の拡大に付きましては、現在炭産業において中国産の炭輸入が環境問題などの理由から入らなくなって来たようです。したがって、供給不足は避けられません。これらの課題に対応するため、本、木質ペレット炭を焼き鳥及び蒲焼などの燃料に供給することで、これらの課題を解消する効果があるのです。
次に、木質ペレットを炭化させ、炭に変化させる技術においては、一般的な従来の炭が窯の中で炭化する状態を物理的に見ますと、一本一本の木質の間に少しづつ空間が存在するのに対して、木質ペレットでは一つの木質の大きさが異なることから、空間の状態に違いが出てきます。したがって、炭化作用も異なり、結果的に均一な炭ができないことが実験から明らかになりました。そして、これらの問題に対応した、均一な炭を製造するための方法が本発明であります。
［特許文献１］  電子図書館で調べてみますと、炭の製造方法は４０件ありましたが、木質ペレットを原料とした炭製造方法はありませんでした。したがって、他の特許に抵触することはないと考える。
［発明の開示］
［発明が解決しょうとする課題］
【０００４】  本発明の最大の課題としましては、一度機械的に破壊した木質を、再度機械的に固めた木質ペレットから、炭として形成することが技術的に可能なものかが課題としてありました。
［課題を解決するための手段］
【０００５】  従来の炭製造方法を用いて製造試験を実施した結果、いずれの場合も、全体としてばらつきが生じ、炭としての商品価値には程遠い結果でした。
次に、図１に示すような、内部に木質ペレットを蓄えた小型の炭化窯を作り、駆動中の焼却炉内部に入れ込み、実験した結果。全ての木質ペレットが均一に炭化し、全体として均一な炭の製造が行われました。このように、焼却炉の中にもう一つの窯を入れ込むことで木質ペレットから炭を製造することができたのです。
また、一度破壊した木質から再度の炭製造課題に付きましては、木質ペレット製造時において、機械的に大きな圧力をかけることで木質密度が大きくなる。さらに、木質内部のリグニンなどの成分的作用も働くことで、より密度の高い且つ固い木質ペレットが形成され、炭化作用が起こってもばらばらにはならず、炭が形成されると考えられる。
［発明の効果］
【０００６】  『環境にやさしいエネルギーを』をキャッチフレーズに木質バイオマス企画が各地で展開しています。我々の木質ペレット産業もそれらの一環でありますが、木質ペレット用ボイラーの普及数値とペレットの需要数値は比例関係にあり、したがって、普及が進んでいない現在では、需要が少なく厳しい経営を強いられているのが現状である。
これらの課題を解消するために、木質ペレットの需要分野の拡大が必須条件になります。本、発明は木質ペレットを炭にすることで、新たな分野での需要の拡大につながり、需要課題の解消になるのであります。また、炭製造過程での熱エネルギーは、他の目的で稼働している焼却炉を利用しているため、低コスト製造が可能になる、などの特徴をもった炭製造方法である。
［発明を実施するための最良の形態］
【０００７】  焼却炉内部の空いた部分（補助燃焼室など）に、図１に示す、木質ペレットを内蔵した炭化窯を入れ込み、他の目的で稼働中の熱を利用して木質ペレットを生産する。
［実施例１］
【０００８】  先ず、簡単な実験から説明する。自動販売機等で売られているコーヒーの空き缶内部に木質ペレットを入れ込む。稼働中の焼却炉の補助燃焼室に缶の入口が下になる状態にして、一定時間加熱する。加熱温度によって異なるが適当な時間に炉外に取り出し温度を下げることで木質ペレットを原料とした炭が生産される。
［実施例２］
【０００９】  図１に示す炭化窯２内部に木質ペレット７を入れ込み、蓋１を固定金具８を用いて固定する。次に、図２に示す稼働中の焼却炉の補助燃焼室内部１０に入れ込むことで木質ペレットが炭化を起こす。一定時間経過した後、取り出し、温度低下を待つことで木質ペレットを原料とした炭が生産される。
【図面の簡単な説明】［図１］      木質ペレットを内蔵した炭化窯の側面図
［図２］      焼却炉内部に炭化窯を入れた状態の側面図
［図３］      炭化窯の平面図
【符号の説明】
１      …    蓋                    ２      …    炭化窯
３      …    足金具                ４      …    底板
５      …    網中板                ６      …    穴
７      …    木質ペレット          ８      …    固定金具
９      …    燃焼室              １０      …    補助燃焼室
１１      …    扉                  １２      …    炭化窯
１３      …    燃焼物              １４      …    扉
１５      …    扉                  １６      …    煙突
１７      …    空洞管
Ｅ      …    符号
【図１】
2006124624.tif 000003
【図２】
2006124624.tif 000004
【図３】
2006124624.tif 000005